(57)【要約】【課題】製造がより効率的な液晶ディスプレイモジュールとその製造方法を提供する。【解決手段】表示ユニット１００、第１駆動回路１３０、第２駆動回路１４０及びバックライト部を有し、第１駆動回路１３０及び第２駆動回路１４０は、垂直走査駆動回路、水平データ駆動回路及び制御回路を備え、集積された駆動回路構成を使用し、ＬＣＤモジュールのための最善の構成を達成する。また、ＬＣＤモジュールの構造上の変更が、液晶ディスプレイモジュールの製造において、生産工程の効率や全体的なコストの低減を図る。【選択図】          図１
2005017434.tif 000002
【特許請求の範囲】
【請求項１】
複数の走査線、
当該走査線に対して垂直の複数のデータ線、
前記走査線及びデータ線により形成された矩形内部に位置し、表示スクリーンを形成するようにマトリックス様式に配置された複数のピクセル、
及び、前記ピクセルを駆動するために前記データ線及び走査線の交点に位置された複数のトランジスタ、
を有する矩形平面の表示ユニットと、
表示データが入力され、表示信号を生成する制御回路、
及び、前記ピクセルを走査するため前記走査線から表示信号が入力され、選択されたピクセルのトランジスタを駆動する垂直走査駆動回路、を有し、
前記表示ユニットの垂直側に位置し前記走査線と接続された第１駆動回路と、
前記垂直走査駆動回路の走査と同期し、前記選択されたピクセルの表示電圧を決定する表示信号が入力される水平データ駆動回路、
を有する、前記表示ユニットの水平側に位置しデータ線に接続された第２駆動回路と、
前記表示ユニット上の表示スクリーンの他側に固定されかつバックライト源を提供するバックライト部と、を有する、
表示データが入力されかつ表示パネルに対応する画像を生成する液晶ディスプレイモジュール。
【請求項２】
前記制御回路は、タイミングコントローラ及び自動検出計数回路と接続された制御チップを有する請求項１に記載の液晶ディスプレイモジュール。
【請求項３】
更に、前記表示ユニット及びバックライト部の固定に使用されかつ前記表示ユニットに表示スクリーンが露呈され、前記表示ユニットより僅かに大きい矩形のフレームである前フレームを有する請求項１に記載の液晶ディスプレイモジュール。
【請求項４】
複数の連結部材が、前記表示ユニットとバックライト部を固定する前フレームに設けられている請求項３に記載の液晶ディスプレイモジュール。
【請求項５】
更に、表示ユニット上の表示スクリーンの他側に位置した連結部に対応する複数の連結孔を有し、これら連結孔を挿通する連結部材を前記連結部に連結することにより前記表示ユニットに固定された後カバーを有する請求項３に記載の液晶ディスプレイモジュール。
【請求項６】
更に、前記表示ユニット及びバックライト部を覆うように前記表示ユニットの表示スクリーン他側に位置した後カバーを有する請求項１に記載の液晶ディスプレイモジュール。
【請求項７】
前記後カバーは、表示ユニット上の表示スクリーンの他側に位置された複数の連結部に対応する連結孔を有し、これら連結孔を挿通する複数の連結部材を介して前記連結部と連結される請求項６に記載の液晶ディスプレイモジュール。
【請求項８】
複数の走査線、
当該走査線に対して垂直の複数のデータ線、
前記走査線及びデータ線により形成された矩形内部に位置し、表示スクリーンを形成するようにマトリックス様式に配置された複数のピクセル、
及び、前記ピクセルを駆動するために前記データ線及び走査線の交点に位置された複数のトランジスタ、
を有する矩形の表示ユニットと、
前記走査線から表示信号が入力され、ピクセルを走査し、選択されたピクセルのトランジスタを駆動する垂直走査駆動回路を有する、前記表示ユニットの垂直側に設けられ前記走査線に接続された第１駆動回路と、
表示データが入力され、表示信号を生成する制御回路、
前記垂直走査駆動回路の走査と同期し、前記選択されたピクセルの表示電圧を決定する表示信号が入力される水平データ駆動回路、
を有する、前記表示ユニットの水平側に位置しデータ線に接続された第２駆動回路と、
前記表示ユニット上の表示スクリーンの他側に固定されかつバックライト源を提供するバックライト部と、を有する、
表示データが入力されかつ表示パネルに対応する画像を生成する液晶ディスプレイモジュール。
【請求項９】
前記制御回路は、タイミングコントローラ及び自動検出計数回路と接続された制御チップを有する請求項８に記載の液晶ディスプレイモジュール。
【請求項１０】
更に、前記表示ユニット及びバックライト部の固定に使用されかつ前記表示ユニットに表示スクリーンが露呈され、前記表示ユニットより僅かに大きい矩形のフレームである前フレームを有する請求項８に記載の液晶ディスプレイモジュール。
【請求項１１】
複数の連結部材が、表示ユニットとバックライト部を固定する前フレームに設けられている請求項１０に記載の液晶ディスプレイモジュール。
【請求項１２】
更に、表示ユニット上の表示スクリーンの他側に位置する複数の連結部に対応する複数の連結孔を有し、これら連結孔を挿通する連結部材を前記連結部に連結することにより前記表示ユニットに固定された後カバーを有する請求項１０に記載の液晶ディスプレイモジュール。
【請求項１３】
更に、前記表示ユニット及びバックライト部を覆うように前記表示ユニットの表示スクリーン他側に設けられた後カバーを有する請求項８に記載の液晶ディスプレイモジュール。
【請求項１４】
前記後カバーは、表示ユニットの表示スクリーンの他側に位置された複数の連結部に対応する複数の連結孔を有し、これら連結孔を挿通する複数の連結部材を介して前記連結部と連結される請求項１３に記載の液晶ディスプレイモジュール。
【請求項１５】
複数の走査線、
当該走査線に対して垂直の複数のデータ線、
前記走査線及びデータ線により形成された矩形内部に位置され、表示スクリーンを形成するようにマトリックス様式に配置された複数のピクセル、
及び、前記ピクセルを駆動するために前記データ線及び走査線の交点に位置された複数のトランジスタ、
を有する矩形平面の表示ユニットを設ける工程と、
表示データが入力され、表示信号を生成する制御回路、
前記ピクセルを走査するため前記走査線から表示信号が入力され、選択されたピクセルのトランジスタを駆動する垂直走査駆動回路、を有し、
前記表示ユニットの垂直側に位置され前記走査線と接続された第１駆動回路を設ける工程と、
前記垂直走査駆動回路の走査と同期し、前記選択されたピクセルの表示電圧を決定する表示信号が入力される水平データ駆動回路、
を有する、前記表示ユニットの水平側に位置しデータ線に接続された第２駆動回路を設ける工程と、
前記表示ユニット上の表示スクリーンの他側にバックライト部を固定する工程と、
を有する液晶ディスプレイモジュールの製造方法。
【請求項１６】
前記制御回路は、タイミングコントローラ及び自動検出計数回路と接続された制御チップを有する請求項１５に記載の液晶ディスプレイモジュールの製造方法。
【請求項１７】
前記表示ユニット及びバックライト部が前フレームに固定された請求項１５に記載の液晶ディスプレイモジュールの製造方法。
【請求項１８】
更に、表示ユニット上の表示スクリーンの他側に後カバーを固定する工程を有する請求項１５に記載の液晶ディスプレイモジュールの製造方法。
【請求項１９】
複数の走査線、
当該走査線に対して垂直の複数のデータ線、
前記走査線及びデータ線により形成された矩形内部に位置され、表示スクリーンを形成するようにマトリックス様式に配置された複数のピクセル、
及び、前記ピクセルを駆動するために前記データ線及び走査線の交点に位置された複数のトランジスタ、
を有する矩形平面の表示ユニットを設ける工程と、
前記走査線から表示信号が入力され、ピクセルを走査し、選択されたピクセルのトランジスタを駆動する垂直走査駆動回路を有する、前記表示ユニットの垂直側に設けられ前記走査線に接続された第１駆動回路を設ける工程と、
表示データが入力され、表示信号を生成する制御回路、
前記垂直走査駆動回路の走査と同期し、前記選択されたピクセルの表示電圧を決定する表示信号が入力される水平データ駆動回路、
を有する、前記表示ユニットの水平側に位置しデータ線に接続された第２の駆動回路を設ける工程と、
表示スクリーンの他側にバックライト部を固定する工程と、
を有する液晶ディスプレイモジュールの製造方法。
【請求項２０】
前記制御回路は、タイミングコントローラ及び自動検出計数回路と接続された制御チップを有する請求項１９に記載の液晶ディスプレイモジュールの製造方法。
【請求項２１】
前記表示ユニット及びバックライト部が前フレームに固定された請求項１９に記載の液晶ディスプレイモジュールの製造方法。
【請求項２２】
更に、表示ユニット上の表示スクリーンの他側に後カバーを固定する工程を有する請求項１９に記載の液晶ディスプレイモジュールの製造方法。
【発明の詳細な説明】
【０００１】
【発明の属する技術分野】
本発明は、液晶ディスプレイ（ＬＣＤ）モジュールとその製造方法、特に集積回路ＬＣＤモジュールとその製造方法に関する。
【０００２】
【従来の技術】
液晶ディスプレイ（ＬＣＤ）は、表示パネル業界では主要な製品である。より軽く、より薄く、より短く及びより小さくする電子化傾向後のＬＣＤの価格低減に起因し、ＬＣＤの製造競争は、これまでより激しくなっている。
【０００３】
したがって、生産方法の改良、コストの低減及び軽量化の設計や、より薄い表示構成は、全てのＬＣＤメーカーの主要な発展目標となっている。
【０００４】
ＴＦＴ−ＬＣＤ（薄膜トランジスタＬＣＤ）の生産には、半導体や化学薬品あるいは光学等の異なる産業からの技術が結合されている。この生産工程にはアレイ、セル及びモジュールという３つの主要な工程がある。アレイ生産工程は、基板上に多数のＴＦＴ−ＬＣＤを形成するため、デポジション（沈着）、露光、現像及びエッチング等という半導体生産方法でガラス基板を処理する。セル生産工程中、前記アレイ処理基板や他の基板は、ポリアミドにより共に処理される。これら基板は、その後精密な装置を用いて加圧合体される。シールが加えられた後、所定のパネルサイズにカットされ、液晶が注入され、それから偏光子のような要素が組み込まれ、ＬＣＤ表示パネルが完成する。最後に、モジュール生産工程は、回路基板や、ＬＣＤモジュールを形成するためのバックライトモジュールのような外部部品を表示ユニットに組み込んでＬＣＤモジュールを完成する。
【０００５】
【発明が解決しようとする課題】
通常、現在の液晶モジュールメーカーは、ＬＣＤパネル工場にアレイやセル生産を外注する。仕上げられたＬＣＤパネルは、生産を完了するためにＬＣＤモジュール工場に送られる。ＬＣＤパネルは、ＬＣＤモジュール工場で最終組立ての間、外部部品の取付けを行うために、多数の規格に合致することが必要なため、生産作業及び組立て工程を改良することが難しい。
【０００６】
【発明の概要】
上述した最近の技術を改善するために、本発明は、装置の全体的な容積を減少させるために、駆動回路と制御回路を結合した液晶ディスプレイ（ＬＣＤ）モジュールとその製造方法を提供する。ＬＣＤの構造を変え、ＬＣＤ生産に結び付けることで、ＬＣＤモジュールの製造がより効率的になる。
【０００７】
本発明のＬＣＤモジュールは、外部装置から表示データが入力され、表示スクリーンに対応する画像を生成する。このモジュールは、表示ユニット、第１駆動回路、第２駆動回路及びバックライト部を有している。
【０００８】
前記表示ユニットは、複数のデータに対して垂直な複数の走査線と、前記垂直の走査線及びデータ線により形成された矩形内部に設けられ、表示スクリーンを形成するように配置された複数のピクセルと、前記ピクセルを駆動するために使用され、前記データ線及び走査線の交点に位置された複数のトランジスタと、を有する矩形平面である。
【０００９】
前記第１駆動回路は、前記表示ユニットの垂直側に設けられ、表示信号が入力されかつピクセルのトランジスタを駆動するためピクセルを走査する走査線を使用する垂直走査駆動回路を有している。
【００１０】
第２駆動回路は、前記表示ユニットの水平側に位置し、前述の走査と同期される水平データ駆動回路を有している。
【００１１】
前記バックライト部は、前記表示ユニット上の表示スクリーンの他側に固定され、時にバックライト源のような光源が設けられている。
【００１２】
本発明は、より経済的で有益なＬＣＤモジュールの製造方法を提供する。この製造方法は、表示ユニットの生産工程に駆動回路と制御回路の製造工程を組み合わせている。バックライト部を加えかつ組立て工程を終えた後に、生産は完了する。
【００１３】
生産工程の概要は、次のようなものである。第１に、複数の走査線、データ線、ピクセル及びトランジスタで構成された表示ユニットを設ける。このピクセルは、走査線とデータ線により形成されたブロック内部に位置され、表示スクリーンを形成するために一列に並べられる。トランジスタは、走査線とデータ線の交点に位置され、前述のピクセルの駆動に使用される。それから、表示ユニットの垂直側に位置されかつ走査線に接続された第１駆動回路を設ける。この第１駆動回路は、垂直走査駆動回路及び制御回路を有し、表示信号が入力され、選択されたピクセルのトランジスタを駆動するため走査線を介してピクセルを走査する。制御回路は、表示データが入力され、これにより表示データを生成する。第２駆動回路は、表示ユニットの水平側に位置されかつデータ線に接続されるように設ける。第２駆動回路は、垂直走査駆動回路の走査と同期される前記水平データ駆動回路を有し、制御回路から表示信号が入力され、選択されたピクセルの表示電圧を決定する。最後に、表示ユニットにおける表示スクリーンの他側にバックライト部を固定する。
【００１４】
本発明のＬＣＤモジュールとその製造方法は、ＬＣＤモジュールの構造と生産方法を改善する。また、制御回路と第２駆動回路との組み合わせは、類似の効果を達成できる。
【００１５】
また、本発明は、表示ユニットと、この表示ユニットの表示領域に設けられるバックライト部とを固定するために、表示ユニットより少し大きい前フレームを備えている。また、表示スクリーンの他側に固定されかつ前フレームに連結された後カバーも有している。
【００１６】
本発明の有効な範囲は、以下の詳細な説明から明らかになる。しかし、本発明の精神及び範囲内での種々の変更と改変が詳細な説明から当業者にとって明らかになるので、この詳細な説明及び具体例は、本発明の好ましい実施形態が図面により示されていると理解されるべきである。
【００１７】
図１は、ＬＣＤモジュールの回路配置を例示する図である。図１において、ＬＣＤモジュールは、表示ユニット１００、第１駆動回路１３０、第２の駆動回路１４０、バックライト部（図示せず）を有している。
【００１８】
表示ユニット１００は、マトリックス様式のピクセルと、各ピクセルに接続されたトランジスタ、相互に直交する多数のデータ線１１０及び走査線１２０で構成されている。ピクセルは、前記データ線１１０と走査線１２０により形成されるブロック内に位置され、表示スクリーンを形成するために配置されている。トランジスタは、データ線１１０と走査線１２０の交点に位置され、前記ピクセルの駆動に使用される。
【００１９】
第１駆動回路１３０は、垂直走査駆動回路と制御回路とを有している。この駆動回路は、表示ユニット１００の垂直側に設けられ、複数のフレキシブルな回路ボード１５０を介して走査線と電気的に接続されている。垂直走査駆動回路に表示信号が入力されると、ピクセルを走査する走査線を使用し、選択されたピクセルのトランジスタを駆動する。制御回路は、外部装置からの表示データが入力され、表示信号を生成する。
【００２０】
第２駆動回路１４０は、表示ユニット１００の水平側に位置され、複数のフレキシブルな回路ボード１５０を介してデータ線１１０と電気的に接続されている。この駆動回路は、垂直走査駆動回路と同期し、選択されたピクセルの表示電圧を決定する表示信号が入力される水平データ駆動回路を有している。
【００２１】
本発明は、表示ユニットと連結する前の回路ボードと、駆動回路及び制御回路の生産工程とを結合している。第２駆動回路内では、制御回路が水平データ駆動回路と結合可能である。この制御回路も、タイミングコントローラ（ＴＣＯＮ）及び自動検出計数回路と結合する制御チップを有している。第１駆動回路や第２駆動回路と結合された制御回路は、１．６ｍｍのプリント回路基板を使用して製造される。
【００２２】
図２は前カバーと表示ユニットを示す分解斜視図である。図２において、本発明は、表示ユニット１００とバックライト部を固定する前フレーム１０を使用し、同時に、表示ユニット１００上に表示スクリーンを設けることによって構造を改良している。
【００２３】
製造過程では、前フレーム１０は、まず、表示ユニット１００と（矢印の方向に）組み合わされる。前フレーム１０は、表示ユニット１００の全ての側部と表示領域のエッジを覆い、前フレーム１０の内側にある複数の固定要素１２を使用して表示ユニット１００を固定する。
【００２４】
図３は後カバーと表示ユニットを示す分解斜視図である。図３において、前フレーム１０を組み付けた後、後カバー３０が表示ユニット上の表示スクリーンの他側に加えられる。後カバー３０は、複数の連結孔３２とスロット３１を有し、表示ユニット１００は、前記連結孔３２に対応する複数の被連結部１０１を有している。複数の連結部材３３は、連結孔３２を挿通し被連結部１０１に連結され、後カバー３０を表示ユニット１００に固定する。前フレーム１０も、後カバー３０に連結される。
【００２５】
図４は前フレームと後カバーの非係合状態を示す図であるが、この図４において、前フレーム１０と後カバー３０は、同時に、組み付けられ、これらは、相互に連結される。
【００２６】
図５は前フレームと後カバーの連結関係を示す図であるが、この図５において、後カバー３０のスロット３１は、前フレーム１０内端のフック１１により所定の位置に固定される。
【００２７】
また、本発明のＬＣＤモジュールの製造方法は、表示ユニットの生産中に、駆動回路と制御回路の生産を結合し、最後に、バックライト部を仕上げ、組み付けが終わる。
【００２８】
図６は生産工程のフローチャートであるが、この図６において、第１に、表示ユニット１００を設ける（ステップ２１０）。この表示ユニット１００は、マトリックス様式のピクセル、各ピクセルに接続したトランジスタ、複数の垂直なデータ線１１０及び走査線１２０を有している。ピクセルは、表示スクリーンを形成するデータ線と走査線によって形成された矩形の内部に位置される。トランジスタは、前記ピクセルを駆動するためにデータ線と走査線の交点に位置される。
【００２９】
その後、複数のフレキシブルな回路ボード１５０を介して表示ユニット１００の垂直側に位置されかつ走査線と電気的に接続された第１駆動回路１３０を設ける（ステップ２２０）。
【００３０】
垂直走査駆動回路は、表示信号が入力され、前記走査線を使用してピクセルを走査し、選択されたピクセルのトランジスタを駆動する。
【００３１】
複数のフレキシブルな回路ボード１５０を介して表示ユニット１００の水平側と電気的に接続されかつデータ線に電気的に同様に接続される第２駆動回路１４０を設ける（ステップ２３０）。第２駆動回路１４０は、垂直走査駆動回路の走査と同期し、選択されたピクセルの表示電圧を決定する表示信号が入力される。
【００３２】
表示ユニット１００にバックライト部を固定するために前フレーム１０を据付けると（ステップ２４０）、バックライト部が表示ユニット上の表示スクリーンの他側に取付けられる。前フレーム１０は、表示ユニット１００の表示スクリーンを露呈することが必要である。
【００３３】
後カバー３０が表示スクリーンの他側に固定され、前フレーム１０に連結される（ステップ２５０）。制御回路は、外部装置から表示データを入力するため、第１駆動回路１３０又は第２駆動回路１４０と組み合わせられ、その後、駆動回路に送る表示信号を生成する。
【００３４】
以上述べた本発明は、同様なものを種々の方法で変形できることは、明らかである。
【００３５】
【発明の効果】
以上のように、本発明に係るＬＣＤモジュールは、垂直の走査線及びデータ線により形成された矩形内部のピクセル、及びこのピクセルを駆動するトランジスタを有する矩形平面の表示ユニットと、この表示ユニットの垂直側に設けられ、垂直走査駆動回路を有する第１駆動回路と、前記表示ユニットの水平側に位置し、前述の走査と同期される水平データ駆動回路を有する第２駆動回路と、及び前記表示ユニットの表示スクリーンの他側に設けられたバックライト部とから構成しているので、装置の全体的な容積を減少でき、ＬＣＤ生産時に、ＬＣＤモジュールの製造がより効率的になる。
【００３６】
また、本発明のＬＣＤモジュールの製造方法は、第１に、複数の走査線、データ線、ピクセル及びトランジスタで構成された表示ユニットを設け、走査線とデータ線により形成されたブロック内部にピクセルを位置し、走査線とデータ線の交点にトランジスタを位置し、それから、表示ユニットの垂直側に第１駆動回路を走査線に接続し、表示ユニットの水平側に第２駆動回路をデータ線に接続するように接続し、最後に、表示ユニットにおける表示スクリーンの他側にバックライト部を固定するので、生産方法が改善され、より経済的で有益なＬＣＤモジュールの製造方法となる。
【００３７】
また、表示ユニットの生産工程に駆動回路と制御回路の製造工程を組み合わせたので、より経済的で有益なとなる。
【図面の簡単な説明】
【図１】液晶ディスプレイモジュールの回路配置を示す図である。
【図２】前カバーと表示ユニットを示す分解斜視図である。
【図３】後カバーと表示ユニットを示す分解斜視図である。
【図４】前後のカバーと表示ユニットを示す分解斜視図である。
【図５】前後カバーの連結ジョイント拡大図である。
【図６】生産工程のフローチャートである。
【符号の説明】
１０…前フレーム、
１１…フック、
３０…後カバー、
３１…スロット、
３２…連結孔、
３３…連結部材、
１００…表示ユニット、
１０１…被連結部、
１１０…データ線、
１２０…走査線、
１３０…第１駆動回路、
１４０…第２駆動回路、
１５０…回路ボード。
【図１】
2005017434.tif 000003
【図２】
2005017434.tif 000004
【図３】
2005017434.tif 000005
【図４】
2005017434.tif 000006
【図５】
2005017434.tif 000007
【図６】
2005017434.tif 000008